(57)【要約】【課題】極細線の巻き取り用スプールにおいて、巻き取りドラムとコレットとの噛み込みを防止し、巻き取りドラム着脱時の作業性を向上させること。【解決手段】巻き取りドラム２と、巻き取りドラム２に内挿されていて両端部の内縁が内側に向かってつぼまるテーパーをなすように形成されたコレット３と、回転軸５と一体に回転するがその軸線方向には変位可能に装袈されていてコレット３のテーパー部に摺接した一対のスクイザー４ａ，４ｂと、巻き取りドラム２に回動可能に装袈されていて回転軸５の軸端と共にスクイザー４ａをスクイザー４ｂに向けて押動し得るカム８と、スクイザー４ｂをスクイザー４ａに向けて弾圧するばね１２とを備え、前記カム８を回動することにより巻取りドラム２を着脱し得るようになっている。【選択図】図１
2005012112.tif 000002
【特許請求の範囲】
【請求項１】
巻き取りドラムと、該巻き取りドラムに内挿されていて両端部の内縁が内側に向かってつぼまるテーパーをなすように形成されたコレットと、回転軸に該回転軸と一体に回転するがその軸線方向には変位可能に装袈され前記コレットのテーパー部に摺接したテーパー部を有する一対のスクイザーと、前記巻き取りドラムに回動可能に装袈されていて前記スクイザーの一方を他方に向けて押動し得るカムと、前記他方のスクイザーを前記一方のスクイザーに向けて弾圧するばねとを備え、前記カムを回動することにより前記巻取りドラムとコレットを結合離脱せしめ得るようにした極細線の巻き取り用スプール。
【請求項２】
前記コレットと前記一対のスクイザーとはピン−スロット連結されていて、前記カムにより前記一方のスクイザーが他方のスクイザーから離間するように動かされたとき、前記コレットを前記巻き取りドラムの中央位置に引き寄せて該巻き取りドラムから前記コレットを離脱せしめるようになっている、請求項１に記載の極細線の巻き取り用スプール。
【請求項３】
前記カムはレバーを介して回動せしめられるようになっている請求項１または２に記載の極細線の巻き取り用スプール。
【発明の詳細な説明】
【０００１】
【発明の属する技術分野】
本発明は、ワイヤーボンダーに用いる金線等の極細線を巻き取るのに用いられるスプールの改良に関する。
【０００２】
【従来の技術】
従来、金線等極細線を加工する装置は、概略図４に示すように、巻き出しスプール１３から繰り出された未加工の極細線が、張力検出部１４および伸線部１５を経て、最終的に、巻き取り軸に固定された巻き取りスプール１６を回転させることによって、巻き取られるようになっている。極細線は、断線しやすいため加工工程の定速化が求められており、また、巻き取りスプール１６の偏心を防止するため、図５に示すようなコレットチャック方式が多く用いられている（非特許文献１参照）。
【０００３】
【非特許文献１】
ハイラム  Ｅ．  グラント著「冶具・取付具実用図集」大河出版、
１９９２年９月１日発行、３８４頁
【０００４】
【発明が解決しようとする課題】
この方式は、図５に示すように、スプール１６の巻き取りドラム２を保持するコレット３（図７参照）を、回転軸５に刻設されたねじ部に螺合したナット１７を介して、外周面をテーパー加工した両サイドのスクイザー４ａ，４ｂ間の距離を縮めることによって広げ、巻き取りドラム２を内側から固定している。しかし、このようなねじ締めによる固定方式は、装置の運転時に発生するねじのしまり、極細線の巻き取りドラム２への巻き締まり等の圧力によって、図６に示すように、巻き取りドラム２とコレット３が噛みこんでしまい、その取り外し作業に支障をきたし、作業性の低下をもたらすという問題点があった。
【０００５】
【発明が解決しようとする課題】
本発明は、上記の如き従来方式の有する問題点に鑑みてなされたものであり、その目的とするところは、巻き取りドラムとコレットとの噛み込みを防止し、巻き取りドラム着脱時の作業性を向上させることにある。
【０００６】
【課題を解決するための手段】
上記の目的を達成するため、本発明による極細線の巻き取り用スプールは、巻き取りドラムと、該巻き取りドラムの内側に嵌挿されていて両端部の内縁が内側に向かってつぼまるテーパーをなすように形成されたコレットと、回転軸に該回転軸と一体に回転するがその軸線方向には変位可能に装袈され前記コレットのテーパー部に摺動可能に嵌合した一対のスクイザーと、前記巻き取りドラムに回動可能に装着されていて前記回転軸の軸端と共に前記スクイザーの一方を他方に向けて押動し得るカムと、前記他方のスクイザーを前記一方のスクイザーに向けて弾圧するばねとを備え、前記カムを回動することにより前記巻取りドラムとコレットを結合離脱せしめ得るように構成されている。
本発明によれば、前記コレットと前記一対のスクイザーとはピン−スロット連結されていて、前記カムにより前記一方のスクイザーが他方のスクイザーから離間するように動かされたとき、前記コレットを前記巻き取りドラムの中央位置に引き寄せて該巻き取りドラムから前記コレットを離脱せしめるようになっている。
また、本発明によれば、前記カムはレバーを介して回動せしめられるようになっている。
【０００７】
【発明の実施の形態】
次に、本発明の実施の態様を図示した実施例に基づき説明する。図１は本発明によるスプールの一実施例において巻き取りドラムが保持状態にセットされた場合の断面図、図２は巻き取りドラムが解除状態にセットされた場合の断面図、図３は一対のスクイザーとの連結構造を示すコレットの平面図である。図中、従来技術で説明したのと実質上同一の部材には同一符号が付され、それらについての説明は省略されている。
【０００８】
図に示すように、金線等の極細線１を巻き取る巻き取りドラム２は、その内側に摺動可能に嵌挿された円筒状のコレット３によって保持されており、コレット３には、その直径方向の対向する位置に軸線方向に延びた一対の長穴３ａと、軸線方向に延び一端が交互に開放されて等間隔に配置された切込み３ｂが夫々形成けされ、更に、その両端部の内縁は、内側に向かってつぼまるテーパーをなすように形成されている。スクイザー４ａ，４ｂは、その周面に形成されたテーパー部がコレット３のテーパー部と摺接しており、そのテーパー部には、コレット３の長穴３ａに滑合するボルト４ｃが取り付けられている。即ち、コレット３とスクイザー４ａ，４ｂとはピン−スロット連結されている。
【０００９】
スクイザー４ａは回転軸５に摺動可能にはめこまれ、スクイザー４ｂは回転軸５に摺動可能にはめこまれているが、回転軸５に取り付けられたボルト５ａとスクイザー４ｂの円筒部に形成された長穴４ｄとの滑合により、回転方向へは回転軸５と一体に回転するが軸線方向へは相対運動し得るようになっている。また、スプリング１２は止め輪１１とスクイザー４ｂ間で回転軸５に巻かれていて、スクイザー４ｂをスクイザー４ａに向けて弾圧している。
【００１０】
回転軸５の端面にはカム受け板６がスクイザー４ａと接触して取り付けられ、受け板７とともにカム８の回転に追従して動作するようになっている。カム８は巻き取りドラム２に回転可能に取り付けられたカム軸９にはめ込まれ、カム軸９に取り付けられたレバー１０により図１と図２に示された９０度の範囲で回動せしめられるようになっている。図１と図２に示されたカム８の位置は、周知のクリック機構等によりみだりに動くことのないように保持される。
【００１１】
次に、上記実施例の作用を説明する。使用に際し、先ず巻き取りドラム２をコレット３上に挿し込んでセットし（図２）、レバー１０を起こすとカム軸９によってカム８が９０°時計回転し、スクイザー４ａをスクイザー４ｂに向けて押し込む（図１）。するとその力はコレット３を通して反対側のスクイザー４ｂに伝達され、カム８とスプリング１２の力によって、スクイザー４ａ，４ｂのテーパー面に沿ってコレット３を押し広げ、巻き取りドラム２を保持する。このようにして、極細線の巻き取りを行う。
【００１２】
次に、巻き工程を終えて巻き取りドラム２を解除するためレバー１０を図２の位置に向けて倒すと、はじめにスクイザー４ｂはスプリング１２に押されて左方に移動し、ボルト４ｄに長穴５ａの右端があたることにより停止する。さらにレバー１０を倒すとカム８はカム受け板７を左に引き寄せ、カム受け板７に連結されたスクイザー４ａも左によせられる。その際スクイザー４ａとコレット３が噛みあっていた場合、両方のスクイザー４ａ，４ｂのボルト４ｃがコレット３の長穴３ａの左端にあたってコレット３を引き寄せて、コレット３を巻き取りドラム２の中央位置に収め、巻き取りドラム２の内周面とコレット３の外周面との間に隙間をつくるようになる。これによって、巻き取りドラム２を取り外すことができるようになる。
【００１３】
【発明の効果】
以上説明したように、本発明によれば、金線等の極細線をコレットチャック方式によって巻き取りドラムに巻き取る際に、スクイザーとコレットの噛み込みを防止し、巻き取りドラムの着脱が容易で、作業性の良い巻き取り用スプールを提供することができる。
【図面の簡単な説明】
【図１】本発明によるスプールの一実施例において巻き取りドラムが保持状態にセットされた場合の断面図である。
【図２】巻き取りドラムが解除状態にセットされた場合の断面図である。
【図３】一対のスクイザーとの連結構造を示すコレットの平面図である。
【図４】極細線を加工する装置の概略構成図である。
【図５】従来の極細線巻き取り用スプールにおいて巻き取りドラムが保持状態にセットされた場合の断面図である。
【図６】従来の極細線巻き取り用スプールにおいて巻き取りドラムが解除状態にセットされた場合の断面図である。
【図７】従来の極細線巻き取り用スプールに用いられているコレットの斜視図である。
【符号の説明】
１                          金線
２                          巻き取りドラム
３                          コレット
３ａ，４ｄ                    長穴
３ｂ                        切り込み
４ａ，４ｂ                  スクイザー
４ｃ，５ａ                    ボルト
５                          回転軸
６                            カム受け板
７                          受け板
８                          カム
９                          カム軸
１０                        レバー
１１                        止め輪
１２                        スプリング
１３                        巻きだしスプール
１４                        張力検出部
１５                        伸線部
１６                        巻き取り部
１７                        ナット
【図１】
2005012112.tif 000003
【図２】
2005012112.tif 000004
【図３】
2005012112.tif 000005
【図４】
2005012112.tif 000006
【図５】
2005012112.tif 000007
【図６】
2005012112.tif 000008
【図７】
2005012112.tif 000009